(57)【要約】【課題】複数の作業に使用でき、そのうちの芝巻敷装置を装着したときには、芝巻き用筒体の装着を構造ならびに操作を簡単にして行える産業用車両を提供する。【解決手段】運転部１０を設けた車体２の前部に、作動部２２を昇降ならびに回動させる昇降回動手段１１を設け、作動部２２に対して作業装置３１を着脱可能に構成した。作業装置の１つである芝の巻き取りおよび巻き戻しを行う芝巻敷装置３１は、作動部２２に連結する本体３２と、本体３２に対して車幅方向に位置調整自在に設けた保持体４０を有する。保持体４０は、芝巻き用筒体５１に挿通した支軸体５２の両端５２ａを、落し込みにより位置決めして保持可能に構成した。作動部に対して各種の作業装置を選択して着脱することで、車体の前後走行と、昇降回動手段による作業装置の昇降や回動により、各種の作業装置を使用して複数の作業を行える。【選択図】　　　　図１
2004084398.tif 000002
【特許請求の範囲】
【請求項１】
運転部が設けられた車体の前部には、その作動部を昇降ならびに回動させる昇降回動手段が設けられるとともに、前記作動部に対して作業装置を着脱可能に構成し、前記作業装置の１つである芝の巻き取りおよび巻き戻しを行う芝巻敷装置は、前記作動部に連結される本体と、この本体に対して車幅方向に位置調整自在に設けられた保持体とを有し、この保持体は、芝巻き用筒体に挿通された支軸体の両端を、落し込みにより位置決めして保持可能に構成したことを特徴とする産業用車両。
【請求項２】
別の作業装置として、作動部に対してバケット装置が連結されることを特徴とする請求項１記載の産業用車両。
【発明の詳細な説明】
【０００１】
【発明の属する技術分野】
本発明は、たとえば野球や他目的イベントなどを開催するドームなどにおいて、そのグランド上に天然の芝を敷き込んだり、敷き込まれた天然の芝を巻き取ったりするのに使用される産業用車両に関するものである。
【０００２】
【従来の技術】
従来、この種の産業用車両としては、たとえば特開平１０−１６７５８２号公報に見られる人工芝巻敷機が提供されている。すなわち、本体（車体）の前部側に、人工芝の巻き取りおよび巻き戻しを行う人工芝巻敷装置が設けられ、また本体の前部で左右方向の少なくとも二箇所に前輪が設けられるとともに、本体の後部に前輪の外面間寸法内に納まる後輪が設けられている。そして、本体の一側に運転席が設けられている。この従来構成によると、本体とともに人工芝巻敷装置を前進させて人工芝の巻き取りを行え、また本体とともに人工芝巻敷装置を後進させて人工芝の敷き込みを行える。
【０００３】
【発明が解決しようとする課題】
しかし、上記した従来構成によると、人工芝巻敷機は、人工芝を敷き込んだり巻き取ったりするための専用のものであり、他の作業に使用することはできない。また、巻芯は、その両端に差し込み連結されたマンドレルを、クランプ形式のマンドレル保持装置によって人工芝巻敷装置側に保持させる形式であることから、保持の構造、ならびに操作は複雑なものとなる。
【０００４】
そこで本発明の請求項１記載の発明は、複数の作業に使用し得、そのうちの芝巻敷装置を装着したときには、芝巻き用筒体の装着を構造ならびに操作を簡単にして行える産業用車両を提供することを目的としたものである。
【０００５】
【課題を解決するための手段】
前述した目的を達成するために、本発明の請求項１記載の産業用車両は、運転部が設けられた車体の前部には、その作動部を昇降ならびに回動させる昇降回動手段が設けられるとともに、前記作動部に対して作業装置を着脱可能に構成し、前記作業装置の１つである芝の巻き取りおよび巻き戻しを行う芝巻敷装置は、前記作動部に連結される本体と、この本体に対して車幅方向に位置調整自在に設けられた保持体とを有し、この保持体は、芝巻き用筒体に挿通された支軸体の両端を、落し込みにより位置決めして保持可能に構成したことを特徴としたものである。
【０００６】
したがって請求項１の発明によると、昇降回動手段の作動部に対して各種の作業装置を選択して着脱することで、車体の前後走行と、昇降回動手段による作業装置の昇降ならびに回動とによって、各種の作業装置を使用して複数の作業を行える。その際に走行や作業は、運転部に乗込んだ運転者の操作によって、走行状態や作業状態を確認しながら行える。
【０００７】
各種の作業装置のうち、芝巻敷装置は、その本体を作動部に連結することで昇降回動手段に装着し得、そして本体に対して保持体を車幅方向に位置調整することで、芝巻敷装置による巻敷位置を車幅方向において調整し得る。また保持体による芝巻き用筒体の保持は、芝巻き用筒体に挿通した支軸体の両端を落し込みにより位置決めすることで、芝巻き用筒体の装着を行える。そして、作動部を介して芝巻敷装置を昇降させ得るとともに、作動部を介して芝巻敷装置を回動させ得、このような動作と車体の走行とによって、芝の敷き込み作業や芝の巻き取り作業を行える。
【０００８】
また本発明の請求項２記載の産業用車両は、別の作業装置として、作動部に対してバケット装置が連結されることを特徴としたものである。
したがって請求項２の発明によると、昇降回動手段の作動部に対してバケット装置を連結することで、作動部を介してバケット装置を昇降させ得るとともに、作動部を介してバケット装置を回動させ得、このような動作と車体の走行とによって、所期のバケット作業、たとえばグランドの整地作業や、芝育成場所での整地作業などを行える。
【０００９】
【発明の実施の形態】
以下に、本発明の実施の形態を図に基づいて説明する。なお、以下において左右（左右方向）とは車幅方向のことであり、また前後とは走行方向のことである。
【００１０】
図１、図２、図５〜図１０において、産業用車両１の車体２は、左右一対の前車輪３が設けられた前車体部２Ａと、左右一対の後車輪４が設けられた後車体部２Ｂとにより構成されている。両車体部２Ａ，２Ｂ間は縦連結軸５により相対回動自在に連結され、そして両車体部２Ａ，２Ｂ間には、左側にステアリングシリンダ６が配設されている。後車体部２Ｂの上部には、座席７やハンドル８や各種の操作レバー９群などが配置された運転部１０が設けられている。
【００１１】
前車体部２Ａ側には、その作動部２２を昇降ならびに回動させる昇降回動手段１１が設けられている。すなわち、運転部１０の前方で前車体部２Ａには左右一対のブーム１２が配設され、これらブーム１２の基端は、前車体部２Ａの後端上部に設けられたブラケット１３に横方向の支軸１４を介して取付けられ、以て上下揺動自在に構成される。そして前車体部２Ａとブーム１２との間には、このブーム１２を上下揺動させる左右一対の昇降用シリンダ１５が設けられる。
【００１２】
両ブーム１２間には、横ピン１６を介して第１リンク１７が取付けられるとともに、この第１リンク１７の遊端に第２リンク１８が横ピン１９を介して連結され、さらに第１リンク１７の基端と前車体部２Ａの後端上部に設けられたブラケット２０との間には、この第１リンク１７を前記横ピン１６の周りに回動させる回動用シリンダ２１が設けられている。
【００１３】
前記作動部２２は左右方向の横方向材２２Ａを有し、この横方向材２２Ａの両端部分からは一対の側部ブラケット２２Ｂが下方へ連設されるとともに、中央部分からは中央部ブラケット２２Ｃが後方へ連設され、さらに側部ブラケット２２Ｂの中間部間には支持枠材２２Ｄが設けられている。そして、両ブーム１２の遊端が、左右方向の横軸体２３を介して前記側部ブラケット２２Ｂに連結されるとともに、前記第２リンク１８の遊端が、左右方向の横軸体２４を介して前記中央部ブラケット２２Ｃに連結されている。
【００１４】
前記中央部ブラケット２２Ｃの部分には、左右方向に係脱動自在な連結用軸体２５が左右一対で設けられ、そして両連結用軸体２５を同期して係脱動させるリンク機構２６と、このリンク機構２６を作動させる操作レバー２７とが設けられている。また、前記横方向材２２Ａの上端縁部分によって係合部分２８が形成されている。以上の１２〜２８などにより昇降回動手段１１の一例が構成される。
【００１５】
前記作動部２２に対して、芝の巻き取りおよび巻き戻しを行う芝巻敷装置（作業装置の一例）３１が着脱可能に設けられている。すなわち芝巻敷装置３１は、前記作動部２２に連結される本体３２と、この本体３２に対して左右方向（車幅方向）に位置調整自在に設けられた保持体４０とを有し、そして保持体４０は、芝巻き用筒体５１に挿通された支軸体５２の両端５２ａを、落し込みにより位置決めして保持可能に構成されている。
【００１６】
ここで支軸体５２はロツド状であって、芝巻き用筒体５１に挿通されることで、この芝巻き用筒体５１は遊転自在に支持される。その際に支軸体５２の長さ５２Ｌは芝巻き用筒体５１の長さ５１Ｌよりも長尺、すなわち［５２Ｌ＞５１Ｌ］であって、前述した挿通により、その両端５２ａが芝巻き用筒体５１に対して両側に突出されるように構成されている。
【００１７】
前記本体３２は、左右方向で一対の側板部材３３と、これら側板部材３３間に連結された上下一対の横板部材３４からなり、その際に正面視において左右方向で長尺の枠状に形成されている。そして、下位の横板部材３４の後面には、左右方向で一対の被連結用部材３５が設けられ、これら被連結用部材３５に形成された左右方向の被連結用孔３６に対して前記連結用軸体２５が係脱自在に構成されている。
【００１８】
さらに、下位の横板部材３４の下面側には、前記保持体４０を装着する際に利用される切り欠き３７が形成されている。また上位の横板部材３４の上面側には、左右方向の設定された複数箇所に係止部３８が凹状に形成されている。そして上位の横板部材３４の後面側には、前記係合部分２８が斜め下方から係合可能な被係合部３９が、左右方向のプレート状に形成されている。
【００１９】
前記保持体４０は、左右方向で一対の腕部材（アーム部材）４５と、これら腕部材４５間に連結された上下一対の横杆部材４１と、両腕部材４５の後面側に設けられた被ガイド部材４２などからなる。ここで被ガイド部材４２は、縦板部４２Ａと、この縦板部４２Ａの後面下部に設けられた上向き被ガイド部４２Ｂと、縦板部４２Ａの後面上部に設けられた下向き被ガイド部４２Ｃとにより形成されている。そして下向き被ガイド部４２Ｃには、前記係止部３８に係脱自在な係止体４３が昇降自在に設けられるとともに、係止方向（下降方向）に付勢するスプリング４４が設けられている。
【００２０】
前記腕部材４５は側面視においてＬ字状であって、その縦杆部４５Ａ間が前記横杆部材４１により連結され、そして横杆部４５Ｂは所定長さで前方へと突出されている。なお、縦杆部４５Ａの後面に前記被ガイド部材４２が連結されている。前記腕部材４５における横杆部４５Ｂの先端（遊端）には、それぞれ保持具４６が設けられ、これら保持具４６は、横杆部４５Ｂの内側面に連結された保持部材４７と、これら保持部材４７の外側面に取付けられた位置決め部材４８とにより構成されている。
【００２１】
前記保持部材４７は板状であって、前後方向の中央部分には上方に開放された保持凹部４７ａが形成されるとともに、その前後には誘導用の傾斜部４７ｂが形成されている。また前記位置決め部材４８は、正面視においてＬ字状（または逆Ｌ字状）の板状であって、その縦板部分の内面は、前記保持凹部４７ａに外側から対向される位置決め面４８ａに形成されている。
【００２２】
ここで保持部材４７の内面間距離４７Ｌは前記芝巻き用筒体５１の長さ５１Ｌよりも少し長く、すなわち［４７Ｌ＞５１Ｌ］に設定してあり、また位置決め部材４８の位置決め面間距離４８Ｌは前記支軸体５２の長さ５２Ｌよりも少し長く、すなわち［４８Ｌ＞５２Ｌ］に設定してある。
【００２３】
上記構成からなる保持体４０は、上向き被ガイド部４２Ｂを切り欠き３７に位置させた状態で下向き被ガイド部４２Ｃを上位の横板部材３４に上方から係合させ、そして左右方向へスライド動させることによって、上向き被ガイド部４２Ｂを下位の横板部材３４に下方から係合させ得る。このようなスライド動によって保持体４０は、本体３２に対して左右方向に位置調整自在となる。そして、目的とする位置の係止部３８に対して係止体４３を係止させるとともに、スプリング４４によって係止姿勢の維持を行うことで、左右方向に調整した所定の位置で保持体４０を定着し得る。
【００２４】
また、芝巻き用筒体５１に支軸体５２を挿通した状態で、支軸体５２の両端５２ａを保持部材４７の保持凹部４７ａに係合させることで、保持体４０は、支軸体５２の両端５２ａを落し込み方式により簡単にして保持し得る。その際に前述したように［４７Ｌ＞５１Ｌ］であることから、芝巻き用筒体５１を保持部材４７間に位置し得、そして［４８Ｌ＞５２Ｌ］であることから、支軸体５２を位置決め部材４８間に位置し得るとともに、支軸体５２の端面を位置決め面４８ａに対向させ得、以て位置決めして保持し得ることになる。
【００２５】
以上の４１〜４８などにより保持体４０の一例が構成され、そして３２〜４８などにより芝巻敷装置３１の一例が構成される。
図１１に示すように、前記作動部２２に対してバケット装置（作業装置の一例）６１が着脱可能に設けられている。すなわちバケット装置６１は、バケット本体６２の後面側で下部には、左右方向で一対の被連結用部材６３が設けられ、これら被連結用部材６３に形成された左右方向の被連結用孔６４に対して前記連結用軸体２５が係脱自在に構成されている。そしてバケット本体６２の後面側で上部には、前記係合部分２８が斜め下方から係合可能な被係合部６５が、左右方向のプレート状に形成されている。
【００２６】
図２、図４、図６において、７１は天然の芝で、その幅寸法７１Ｗを芝巻き用筒体５１の長さ５１Ｌに対して同等もしくは少し短めとしてカットされる。７１ａはロール状芝、Ａは前進方向、Ｂは後進方向をそれぞれ示す。
【００２７】
以下に、上記した実施の形態における作用を説明する。
まず、芝巻敷装置３１の装着作業を説明する。本体３２に対して保持体４０を、左右方向に調整した所定の位置で定着させた（組み込んだ）状態で、本体３２の後面側に作動部２２を対向させる。そして、前進走行Ａなどによって、被係合部３９に対して係合部分２８を斜め下方から係合させるとともに、図７に示すように、被連結用孔３６に、あらかじめ内側移動させている連結用軸体２５を内側から対向させる。
【００２８】
次いで操作レバー２７を操作し、リンク機構２６を介して連結用軸体２５を外側移動させることで、図８に示すように、連結用軸体２５を被連結用孔３６に係合させる。これにより作動部２２に本体３２を一体化し得、以て図１、図２、図５に示すように、昇降回動手段１１側に芝巻敷装置３１を装着し得る。このような装着状態では、昇降回動手段１１の作動によって芝巻敷装置３１を昇降させたり回動させたりし得る。
【００２９】
すなわち、昇降用シリンダ１５の伸縮動によってブーム１２を上下揺動させることで、作動部２２を介して芝巻敷装置３１を昇降させ得る。また、回動用シリンダ２１の伸縮動によって第１リンク１７を回動させることで、第２リンク１８を介して作動部２２の上部に押し引き力を作用させ、以て作動部２２を介して芝巻敷装置３１を横軸体２３の周りに回動させ得る。
【００３０】
前述したような装着状態において、天然の芝７１の巻き取り作業や巻き戻し作業を行える。以下に、上記した実施の形態において、グランド７２上に敷設されている天然の芝７１を巻き取る作業を説明する。
（Ａ）芝７１に対する芝巻き用筒体５１のセット
これは人手により行われるもので、芝巻き用筒体５１に芝７１の端部を巻き付けて固定させる。そして芝巻き用筒体５１に支軸体５２を挿通させる。
（Ｂ）芝巻敷装置３１による芝巻き用筒体５１の保持
まず芝７１の幅方向中心に芝巻敷装置３１の中心が位置しているか否かの確認を行う。そして中心がずれていたとき、産業用車両１の切り返しなどの走行制御によって中心を合わせる。この状態で、車体２とともに芝巻敷装置３１を前進させて、支軸体５２の両端５２ａを保持部材４７の保持凹部４７ａに係合させることで、図１、図５仮想線に示すように、この支軸体５２を介して芝巻き用筒体５１を保持体４０側に保持させる。
（Ｃ）芝巻敷装置３１による芝７１の巻き取り
芝巻き用筒体５１を保持した状態で車体２を前進方向Ａに走行させることで、支軸体５２に対して芝巻き用筒体５１を自転させながら芝７１の巻き取り作業を行える。そして図３仮想線に示すように、所期の巻き取りを行う。
（Ｄ）芝巻敷装置３１からのロール状芝７１ａの取り外し
所期の巻き取りを行ったのちに、昇降用シリンダ１５の伸展動によってブーム１２を上昇させることで、図３実線に示すように、ロール状芝７１ａを持ち上げる。その後に車体２を走行やブーム１２の昇降動などを行うことで、ロール状芝７１ａを、運搬車両（トラックなどで図示せず。）へ積み込んだり、格納箇所（格納倉庫）へ運搬したりし得る。その後に、ロール状芝７１ａにおける芝巻き用筒体５１から支軸体５２を抜出させることで、前述した（Ａ）の工程へ戻る。
【００３１】
このように、操作が難しいカットされた芝７１の巻き取り作業は、運転部１０に乗込んだ運転者が前進方向Ａに向いたままで、車体２を前進させながらの操作によって、前進走行状態や巻き取り状態を容易に十分に確認しながら行える。
【００３２】
以下に、上記した実施の形態において、グランド７２上に芝７１を敷き込む作業を説明する。
（Ｅ）芝巻敷装置３１に対するロール状芝７１ａの保持
まず、運搬車両上や格納箇所に位置しているロール状芝７１ａにおける芝巻き用筒体５１に支軸体５２を挿通させる。次いで、ロール状芝７１ａの幅方向中心に芝巻敷装置３１の中心が位置しているか否かの確認を行い、中心がずれていたとき、産業用車両１の切り返しなどの走行制御によって中心を合わせる。この状態で、車体２とともに芝巻敷装置３１を前進させて、ロール状芝７１ａ側の支軸体５２の両端５２ａを保持部材４７の保持凹部４７ａに係合させる。これにより、支軸体５２を介して芝巻き用筒体５１を保持体４０側に保持させる。
（Ｆ）芝巻敷装置３１による芝７１の敷き込み
保持を終えたならば、昇降用シリンダ１５の伸展動によってブーム１２を上昇させることで、支軸体５２や芝巻き用筒体５１を介してロール状芝７１ａを持ち上げたのち、車体２を走行させるなどして、ロール状芝７１ａを敷き込み開始位置へ運搬する。
【００３３】
次いで、車体２を走行させてロール状芝７１ａの運搬を行うとともに、昇降用シリンダ１５の収縮動によってブーム１２を下降させることで、支軸体５２や芝巻き用筒体５１とともに下降されるロール状芝７１ａをグランドＧ上の目的とする場所に着地し得る。そして、この状態で車体２を後進方向Ｂに走行させることで、図４に示すように、支軸体５２に対して芝巻き用筒体５１を自転させながら芝７１の巻き戻しを行え、以て所期の巻き戻し作業（敷き込み作業）を行える。
（Ｇ）芝巻敷装置３１からの芝巻き用筒体５１の取り外し
敷き込みを終えたならば、まず車体２を所定箇所へ走行させて芝巻き用筒体５１を着地させ、そして保持体４０から支軸体５２を離脱させることで、前述した（Ｅ）の工程へ戻る。なお、芝巻敷装置３１から外した芝巻き用筒体５１から支軸体５２を抜出させる。
【００３４】
このように、芝７１の敷き込み作業は、運転部１０に乗込んだ運転者が車体２を後進させながらの操作によって、後進走行状態や敷き込み状態を容易に十分に確認しながら行える。
【００３５】
上記の巻き取り作業や巻き戻し（敷き込み）作業において、前記ブーム１２は、昇降用シリンダ１５の伸縮動によって昇降を行うが、この昇降はロール状芝７１ａの径に合わせて制御される。その際に、昇降用シリンダ１５のテール側をタンクに開放し得る（下降側フリー）ことで、ロール径に応じてブーム１２が自動的に昇降することになって、ロール状芝７１ａを接地したまま巻き取りや巻き戻しを可能としている。
【００３６】
上述したように実施の形態では、ハンドル８の操作や操作レバー９群の操作などにより各部を動作させることで、ドーム内などのグランド７２上で車体２を前後に走行させながら芝７１を巻き敷きし得る。
【００３７】
次に、上記した実施の形態において、バケット装置６１の装着作業を説明する。まず、上述した芝巻敷装置３１の装着作業の逆作用によって、作動部２２から芝巻敷装置３１を離脱させる。この状態で、図１１に示すように、バケット本体６２の後面側に作動部２２を対向させる。そして、前進走行Ａなどによって、被係合部６５に対して係合部分２８を斜め下方から係合させるとともに、被連結用孔６４に、あらかじめ内側移動させている連結用軸体２５を内側から対向させる。
【００３８】
次いで操作レバー２７を操作し、リンク機構２６を介して連結用軸体２５を外側移動させることで、これら連結用軸体２５を被連結用孔６４に係合させる。これにより作動部２２にバケット本体６２を一体化し得、以て昇降回動手段１１側にバケット装置６１を装着し得る。このような装着状態では、昇降回動手段１１の作動によってバケット装置６１を昇降させたり回動させたりし得る。
【００３９】
すなわち、昇降用シリンダ１５の伸縮動によってブーム１２を上下揺動させることで、作動部２２を介してバケット装置６１を昇降させ得る。また、回動用シリンダ２１の伸縮動によって第１リンク１７を回動させることで、第２リンク１８を介して作動部２２の上部に押し引き力を作用させ、以て作動部２２を介してバケット装置６１を横軸体２３の周りに回動させ得る。
【００４０】
このような動作と車体２の走行とによって、所期のバケット作業を行える。すなわち、たとえばグランド７２の整地作業や、芝育成場所での整地作業などを行える。
【００４１】
上述したような車体２の走行や、芝７１の巻き敷き作業あるいはバケット作業は、運転部１０に乗込んだ運転者の操作によって、走行状態や作業状態を容易に十分に確認しながら行える。
【００４２】
上記した実施の形態においては、作業装置として芝巻敷装置３１やバケット装置６１が示されているが、これはクランプ装置や打砕装置などであってもよい。
【００４３】
【発明の効果】
上記した本発明の請求項１によると、昇降回動手段の作動部に対して各種の作業装置を選択して着脱することで、車体の前後走行と、昇降回動手段による作業装置の昇降ならびに回動とによって、各種の作業装置を使用して複数の作業を行うことができる。その際に走行や作業は、運転部に乗込んだ運転者の操作によって、走行状態や作業状態を容易に十分に確認しながら行うことができる。
【００４４】
各種の作業装置のうち、芝巻敷装置は、その本体を作動部に連結することで昇降回動手段に装着でき、そして本体に対して保持体を車幅方向に位置調整することで、芝巻敷装置による巻敷位置を車幅方向において好適な位置に調整できる。また保持体による芝巻き用筒体の保持は、芝巻き用筒体に挿通した支軸体の両端を落し込みにより位置決めすることで、芝巻き用筒体の装着を構造ならびに操作を簡単にして行うことができる。そして、作動部を介して芝巻敷装置を昇降できるとともに、作動部を介して芝巻敷装置を回動でき、このような動作と車体の走行とによって、芝の敷き込み作業や芝の巻き取り作業を容易に確実に行うことができる。
【００４５】
また上記した本発明の請求項２によると、昇降回動手段の作動部に対してバケット装置を連結することで、作動部を介してバケット装置を昇降できるとともに、作動部を介してバケット装置を回動でき、このような動作と車体の走行とによって、所期のバケット作業、たとえばグランドの整地作業や、芝育成場所での整地作業などを容易に行うことができる。
【図面の簡単な説明】
【図１】本発明の実施の形態を示し、芝巻敷装置を装着した産業用車両の斜視図である。
【図２】同芝巻敷装置を装着した産業用車両の巻き取り開始時での側面図である。
【図３】同芝巻敷装置を装着した産業用車両の巻き取り終了時での側面図である。
【図４】同芝巻敷装置を装着した産業用車両の巻き戻し開始時での側面図である。
【図５】同芝巻敷装置を装着した産業用車両の装着部分の一部切り欠き側面図である。
【図６】同芝巻敷装置を装着した産業用車両の保持体部分の一部切り欠き正面図である。
【図７】同芝巻敷装置を装着した産業用車両の芝巻敷装置本体部分を装着前の一部切り欠き背面図である。
【図８】同芝巻敷装置を装着した産業用車両の芝巻敷装置本体部分を装着後の一部切り欠き背面図である。
【図９】同産業用車両に装着される芝巻敷装置の分解斜視図である。
【図１０】同産業用車両における芝巻敷装置の装着時の一部切り欠き側面図である。
【図１１】同産業用車両におけるバケット装置の装着時の一部切り欠き側面図である。
【符号の説明】
１　　産業用車両
２　　車体
７　　座席
８　　ハンドル
９　　操作レバー
１０　　運転部
１１　　昇降回動手段
１２　　ブーム
１５　　昇降用シリンダ
１７　　第１リンク
１８　　第２リンク
２１　　回動用シリンダ
２２　　作動部
２３　　横軸体
２４　　横軸体
２５　　連結用軸体
２６　　リンク機構
２７　　操作レバー
２８　　係合部分
３１　　芝巻敷装置（作業装置）
３２　　本体
３６　　被連結用孔
３８　　係止部
３９　　被係合部
４０　　保持体
４１　　横杆部材
４２　　被ガイド部材
４３　　係止体
４５　　腕部材
４６　　保持具
４７　　保持部材
４７ａ　保持凹部
４８　　位置決め部材
５１　　芝巻き用筒体
５２　　支軸体
５２ａ　両端
６１　　バケット装置（作業装置）
６２　　バケット本体
６４　　被連結用孔
６５　　被係合部
７１　　天然の芝
７１ａ　ロール状芝
７２　　グランド
Ａ　　前進方向
Ｂ　　後進方向
【図１】
2004084398.tif 000003
【図２】
2004084398.tif 000004
【図３】
2004084398.tif 000005
【図４】
2004084398.tif 000006
【図５】
2004084398.tif 000007
【図６】
2004084398.tif 000008
【図７】
2004084398.tif 000009
【図８】
2004084398.tif 000010
【図９】
2004084398.tif 000011
【図１０】
2004084398.tif 000012
【図１１】
2004084398.tif 000013